(57)【要約】【課題】いずれの種類のインターネット接続機器からも所望のコンテンツをアクセスできたり所望のサービスを受けることができるサービスローミング対応システムを提供する。【解決手段】ＳＲＦサーバ２８は、網制御手段２９、加入者プロファイル記憶手段３０および加入者認証手段３１を備えている。加入者プロファイル記憶手段３０は、利用者１が利用可能なアクセス端末の種類と、そのアクセス端末に対応するアクセス手段を特定するための情報である加入者プロファイル情報を記憶する。網制御手段２９は、サービス提供用サーバからのデータを、加入者プロファイル記憶手段３０に記憶されている加入者プロファイル情報に応じて、アクセス端末の種類およびアクセス手段に適合させてアクセス端末に送信する。【選択図】  図２
2004357116.tif 000002
【特許請求の範囲】
【請求項１】
サービス提供用サーバによる一のサービスを、利用者が使用する複数種類の端末に提供しうるサービスローミング対応システムであって、
利用者が利用可能な端末の種類と、その端末に対応する伝送路を特定するための情報であるプロファイル情報を記憶するプロファイル記憶手段と、サービス提供用サーバからのデータを、前記プロファイル記憶手段に記憶されているプロファイル情報に応じて、端末の種類および伝送路に適合させて端末に宛てて送信する網制御手段とを含むローミングサーバを備えたことを特徴とするサービスローミング対応システム。
【請求項２】
ローミングサーバは、端末から送信される認証のための情報を用いて、端末を用いてサービスの提供を受けようとする加入者が、サービスの提供を受ける資格があるか否か判断する認証手段を備えた請求項１に記載のサービスローミング対応システム。
【請求項３】
利用者が利用可能な端末は、インターネット接続サービスを実行するインターネットサービスプロバイダにおけるサーバを介してインターネットに接続され、
プロファイル記憶手段および網制御手段は、前記サーバに搭載されている請求項１または請求項２に記載のサービスローミング対応システム。
【請求項４】
サービス提供用サーバは、電子メールのアカウントを発行するサーバである請求項１から請求項３のうちいずれか１項に記載のサービスローミング対応システム。
【請求項５】
サービス提供用サーバは、コンテンツ配信サーバである請求項１から請求項４のうちいずれか１項に記載のサービスローミング対応システム。
【請求項６】
サービス提供用サーバは、インターネットプロトコルを用いた通話サービスを提供するサーバである請求項１から請求項５のうちいずれか１項に記載のサービスローミング対応システム。
【請求項７】
網制御手段は、サービス提供用サーバが使用するプロトコルを端末に適合したプロトコルに変換して、サービス提供用サーバからのデータを端末に宛てて送信する請求項１から請求項６のうちいずれか１項に記載のサービスローミング対応システム。
【請求項８】
網制御手段は、サービス提供用サーバからのデータの記述言語を、端末に適合した記述言語に変換して端末に宛てて送信する請求項１から請求項７のうちいずれか１項に記載のサービスローミング対応システム。
【請求項９】
サービス提供用サーバによる一のサービスを、利用者が使用する複数種類の端末に提供するためのローミングサーバに搭載されるサービスローミング対応プログラムであって、
前記ローミングサーバに、
利用者が利用可能な端末の種類と、その端末に対応する伝送路を特定するための情報であるプロファイル情報を記憶させる処理と、
端末から送信される認証のための情報を用いて、端末を用いてサービスの提供を受けようとする加入者が、サービスの提供を受ける資格があるか否か判断する認証処理と、
サービス提供用サーバからのデータを、前記プロファイル情報に応じて、端末の種類および伝送路に適合させて端末に宛てて送信する処理とを実行させるためのサービスローミング対応プログラム。
【発明の詳細な説明】
【０００１】
【発明の属する技術分野】
本発明は、インターネットを介して受信したデータを利用者の端末の種類とアクセスのための伝送路の種類とに応じて変換し、利用者の端末に送信するサービスローミング対応システム、およびサービスローミング対応プログラムに関する。
【０００２】
【従来の技術】
近年、ブロードバンドネットワークのインフラストラクチャーが整備され、電子ｍａｉｌの送受信や、Ｗｅｂページの閲覧、放送、ＶｏＤ型コンテンツの視聴、音声や動画のコミュニケーション等、ＩＰ技術を用いたサービスが、ＡＤＳＬや、ＣＡＴＶ、ＦＴＴＨ、３Ｇ（第３世代）携帯電話通信網等のアクセス手段（アクセスのための伝送路）を介して提供されている。これらのサービスが提供されるサービス利用者（以下、利用者という。）は、自宅のパーソナルコンピュータ（ＰＣ）や、携帯電話機、車載ＩＴＳ（Ｉｎｔｅｌｌｉｇｅｎｔ  Ｔｒａｎｓｐｏｒｔ  Ｓｙｓｔｅｍ）端末等のインターネット接続機器とインターネット接続機器に対応するアクセス手段との組を複数持つようになってきている。
【０００３】
一方、ＰＣからアクセス可能であるが携帯電話機からアクセスできないコンテンツがあるなど、利用者は、所望のコンテンツを得るために、インターネット接続機器を選択しなければならないという不便がある。
【０００４】
利用者とサービスの提供の契約を締結していない事業会社である契約外事業会社に利用者の端末が接続した場合、利用者がサービスの提供の契約を締結している事業会社である契約事業会社と契約外事業会社との間で利用者の情報である加入者情報を送受信して契約外事業会社が加入者情報を保持し、利用者の端末が再びその契約外事業会社に接続する際には加入者情報の送受信を行わないインターネットローミング方法がある（例えば、特許文献１参照。）。
【０００５】
また、携帯電話機を介して利用者の加入要求を受け付け、ケーブルテレビ網および公衆電話網と携帯電話機との接続を行うローミングサービスシステムがある（例えば、特許文献２参照。）。
【０００６】
【特許文献１】
特開２００２−２６１７６１号公報  （第４−１０頁、第１図）
【特許文献２】
特開２００２−３００３１１号公報  （第４−７頁、第１図）
【０００７】
【発明が解決しようとする課題】
しかし、特許文献１に記載された方法は、契約事業会社と契約外事業会社との間で送受信するデータ量の削減を目的とし、異なる種類のインターネット接続機器からのコンテンツのアクセスについては何ら考慮されていない。
【０００８】
また、特許文献２に記載のシステムは、ケーブルテレビ網および公衆電話網と携帯電話機との接続を目的としており、利用者がＡＤＳＬや、ＦＴＴＨ等を介してＰＣ等の端末を用いた場合については何ら考慮されていない。
【０００９】
ここで、利用者向けのサービス接続形態について考察する。図９の模式図に示すように、利用者１は、アクセス端末と、アクセス手段と、仲介者（例えば、インターネット接続サービスを実行するインターネットサービスプロバイダ（ＩＳＰ１０，１１，１２，１３））とサービス実体（ＳＥ（Ｓｅｒｖｉｃｅ  Ｅｎｔｉｔｙ１４，１５，１６，１７）：例えば、コンテンツの提供）とを選択する。しかし、アクセス端末、アクセス手段、ＩＳＰおよびＳＥは一意に定められ、利用者１は、それらの組み合わせを自由に選択することはできない。すなわち、図９において、上下方向に直線で示されるそれぞれのルートでしか、ＳＥ１４，１５，１６，１７をアクセスできない。
【００１０】
例えば、ＰＣ、公衆電話回線およびＩＳＰを用いた場合には、特定のコンテンツにアクセスできるが、携帯電話機および無線電話網を用いた場合には、そのコンテンツにはアクセスできないような場合がある。ただし、アクセス手段が、ｘＤＳＬまたは無線ＬＡＮである場合は、利用者１は、アクセス手段とＩＳＰとの組み合わせに自由度が生ずる場合がある。
【００１１】
なお、図９に示す例では、アクセス端末として、自宅ＰＣ２、携帯電話機３、車載ＩＴＳ端末４およびモバイルＰＣ５が例示されている。また、アクセス手段として、自宅ＰＣ２に対応するｘＤＳＬ／ＣＡＴＶ／ＦＴＴＨ６，携帯電話機３に対応する無線電話網７、車載ＩＴＳ端末４に対応するＩＴＳ８、およびモバイルＰＣ５に対応するＷＬＡＮ（無線ＬＡＮ）９が例示されている。
【００１２】
図１０は、利用者１のアクセス端末がインターネット１９に接続された場合に、Ｗｅｂページをアクセス端末に表示するサービスが提供される場合の接続形態を模式的に表した模式図である。Ｗｅｂページを表示するサービスが利用者１に提供される場合、利用者１は、どのアクセス端末、アクセス手段、およびＩＳＰを利用しても、ＩＸＣ１８（Ｉｎｔｅｒ−Ｅｘｃｈａｎｇｅ  Ｃａｒｒｉｅｒ）を経由する等してインターネット１９に接続することによって、同等のサービスを享受することができる。ただし、アクセス端末に携帯電話機３を用いた場合に閲覧できるＷｅｂページは、ＷＡＰ（Ｗｉｒｅｌｅｓｓ  Ａｐｐｌｉｃａｔｉｏｎ  Ｐｒｏｔｏｃｏｌ）等のプロトコルスタックに対応しているＷｅｂページに限定される。
【００１３】
図１１は、電子メールを送受信するためのアカウントである電子メールアカウントを提供するサービス（ＳＥ２０，２１，２２，２３）を利用者１に提供する場合の接続形態を模式的に表した模式図である。利用者１の電子メールアカウントは、アクセス端末、アクセス手段およびＩＳＰの各組み合わせに対して別個に割り当てられ、統一されていない。そのため、自宅のＰＣ２と、携帯電話機３とが同一の電子メールアカウントによる電子メールの送受信を行ったり、電子メールアカウントを変更せずにＩＳＰを変更したりすることができない。なお、ＩＸＣ（図示せず）、他のアクセス手段および他のＩＳＰとを経由して電子メールアカウントを利用できる場合もある。例えば、あるＩＳＰの電子メールアカウントを実現するサーバにＣＡＴＶ経由でアクセスする等の場合である。ただし、そのような場合には、利用者１は、インターネット１９を経由して電子メールアカウントを実現するサーバにアクセスするため、セキュリティが問題となる。
【００１４】
図１２は、放送やＶｏＤの動画像配信サービスを利用者１に提供する場合の接続形態を模式的に表した模式図である。この場合、利用者１が選択したアクセス端末、アクセス手段およびＩＳＰとの組に応じて視聴できるコンテンツが限定される。すなわち、一のＣＳＰ（Ｃｏｎｔｅｎｔｓ  Ｓｅｒｖｉｃｅ  Ｐｒｏｖｉｄｅｒ）が提供するコンテンツ（ＳＥ２４，２５，２６，２７）を、例えば自宅のＰＣ２と車載ＩＴＳ端末４等の複数のアクセス端末で視聴したりすることができないし、ＩＳＰを他のＩＳＰに変更した場合には、一のＣＳＰが提供するコンテンツを視聴することができなくなる。なお、ＩＸＣ（図示せず）、他のアクセス手段および他のＩＳＰとを経由してＣＳＰが提供するコンテンツを視聴することができる場合もある。例えば、あるｘＤＳＬに対応づけられたＣＳＰのコンテンツをＣＡＴＶで視聴する場合である。しかし、そのような場合には、ＣＳＰのコンテンツをインターネット１９経由で視聴するため、ＣＳＰが提供するサービスはベストエフォートサービスとなり、サービスの品質が保証されなくなる。
【００１５】
上記以外にも、一のサービスを他のＩＳＰを経由して提供するローミングと呼ばれるサービスは存在する。しかし、それらのサービスでは、例えば３Ｇ携帯電話機のＳＩＭカードにあらかじめ加入権情報等を記憶させておき、外国においても通話できるようにする場合のように、アクセス端末とアクセス手段とが限定される。また、ダイアルアップ接続のために、ローミング用のアクセスポイントを提供するインターネットと電子メールアカウントとの接続サービスのように、アクセス端末、アクセス手段およびサービス提供内容の組合せが制限されたりする。
【００１６】
そこで、本発明は、いずれの種類のインターネット接続機器からも所望のコンテンツをアクセスできたり所望のサービスを受けることができるサービスローミング対応システム、およびサービスローミング対応プログラムを提供することを目的とする。
【００１７】
【課題を解決するための手段】
本発明によるサービスローミング対応システムは、サービス提供用サーバによる一のサービスを、利用者が使用する複数種類の端末に提供しうるサービスローミング対応システムであって、利用者が利用可能な端末の種類と、その端末に対応する伝送路を特定するための情報であるプロファイル情報を記憶するプロファイル記憶手段と、サービス提供用サーバからのデータを、プロファイル記憶手段に記憶されているプロファイル情報に応じて、端末の種類および伝送路に適合させて端末に宛てて送信する網制御手段とを含むローミングサーバを備えたことを特徴とする。
【００１８】
ローミングサーバは、端末から送信される認証のための情報を用いて、端末を用いてサービスの提供を受けようとする加入者が、サービスの提供を受ける資格があるか否か判断する認証手段を備えていることが好ましい。
【００１９】
【発明の実施の形態】
以下、本発明の実施の形態を図面を参照して説明する。図１は、本発明の概念を説明するための概念図である。利用者１は、サービス実体を提供する事業者であるサービス実体提供事業者４０とサービス契約を締結し、ＩＳＰ３２とインターネット接続契約を締結する。サービス実体提供事業者４０、はＳＲＦ（サービスローミング機構）２８とローミング接続契約を締結し、ＳＲＦ２８に加入者情報と、プロファイル情報とを送信する。また、ＩＳＰ３２は、ＳＲＦ２８と接続契約を締結する。プロファイル情報とは、アクセス端末の種類を示す情報である。また、必要ならば、プロファイル情報には、アクセス端末に関するより詳細な受信能力や、アクセス手段の種類を示す情報も含まれる。
【００２０】
ＳＲＦは、あるアクセス端末とアクセス手段との組合せを用いたときには、そのアクセス端末がＷｅｂページを直接的にはダウンロードできないような場合に、Ｗｅｂページをダウンロードして、アクセス手段の受信能力に適合する形式で、Ｗｅｂページをアクセス手段を介してアクセス端末に供給する機能を有する。
なお、「直接的」とは、Ｗｅｂサーバから、あるアクセス端末に対して、そのアクセス端末に対応したアクセス手段およびＩＳＰを介して直接送信されるという意味である。
【００２１】
例えば、プロトコルが適合しなかったり携帯電話機では扱えない記述言語によってＷｅｂページが構成されている等の理由で、携帯電話機にダウンロードできないＷｅｂページが存在する場合、そのＷｂページを携帯電話機３がアクセスしようとしたときに、プロトコル変換や記述言語変換を行った上でＷｅｂページを携帯電話機３に送信する。従って、ＳＲＦは、例えば、プロトコル変換機能や記述言語変換機能を有する。なお、ＳＲＦはコンピュータで実現可能であり、以下、ＳＲＦサーバ（ローミングサーバ）ということがある。
【００２２】
図２は、本発明によるサービスローミング対応システムの構成例を模式的に示す模式図である。図２に示すように、システム内にＳＲＦサーバ２８が設けられ、ＳＲＦサーバ２８は、ＳＥ１１１，１１２，１１３，１１４を提供する各サーバとデータの送受信を行うことが可能である。なお、ＳＥ１１１，１１２，１１３，１１４は、サービス提供用サーバによって提供される。また、ＳＲＦサーバ２８は、ＩＳＰ１０１，１０２，１０３，１０４とデータの送受信を行うことが可能である。ＳＲＦサーバ２８は、網制御手段２９、加入者プロファイル記憶手段３０および加入者認証手段３１を備えている。加入者プロファイル記憶手段３０は、利用者１が利用可能なアクセス端末の種類と、そのアクセス端末に対応するアクセス手段を特定するための情報である加入者プロファイル情報を記憶する。網制御手段２９は、サービス提供用サーバからのデータを、加入者プロファイル記憶手段３０に記憶されている加入者プロファイル情報に応じて、アクセス端末の種類およびアクセス手段に適合させてアクセス端末に送信する。加入者認証手段３１は、ＳＥ１１１，１１２，１１３，１１４の提供を受けようとする加入者が、ＳＥ１１１，１１２，１１３，１１４の提供を受ける資格があるか否かについて、アクセス端末から送信される認証のための情報を用いて判断する。
【００２３】
なお、以下に説明する各実施の形態において、網制御手段２９および加入者認証手段３１は、ソフトウェアで実現される。また、ＳＲＦサーバ２８は、加入者プロファイル情報を加入者プロファイル記憶手段３０に記憶させる処理を実行するためのプログラムを備えている。
【００２４】
図２には、利用者１のアクセス端末として、例えば、利用者１の自宅に設置されたＰＣである自宅ＰＣ２、Ｗｅｂブラウザ機能を有する携帯電話機３、利用者１の自動車等に搭載された車載ＩＴＳ端末４、および通信機能を有するＰＤＡ等であるモバイルＰＣ５が例示されている。また、自宅ＰＣ２に対応するアクセス手段は、例えばｘＤＳＬ／ＣＡＴＶ／ＦＴＴＨ６である。携帯電話機３に対応するアクセス手段は、例えば無線電話網（無線公衆回線網）７である。車載ＩＴＳ端末４に対応するアクセス手段は、例えばＩＴＳ８である。モバイルＰＣ５に対応するアクセス手段は、例えばＷＬＡＮ９である。
【００２５】
実施の形態１．
図３は、本発明によるサービスローミング対応システムの第１の実施の形態を模式的に示す模式図である。この実施の形態では、ＳＲＦ３６，３７，３８，３９は、それぞれ、ＩＳＰ１０，１１，１２，１３におけるサーバに搭載されている。すなわち、網制御手段２９、加入者プロファイル記憶手段３０および加入者認証手段３１は、ＩＳＰ１０，１１，１２，１３におけるサーバに搭載されている。
【００２６】
図３に示すように、利用者１は、アクセス端末を操作して、アクセス手段と仲介とを介してサービス実体にアクセスする。そして、利用者１は、ＩＳＰ１０と、ｘＤＳＬ／ＣＡＴＶ／ＦＴＴＨ６を介してインターネット１９に接続する契約を締結しているとする。また、ＩＳＰ１１と、携帯電話通信網である無線電話網７を介してインターネット１９に接続する契約を締結しているとする。そして、ＩＳＰ１２と、ＩＴＳ８を介してインターネット１９に接続する契約を締結しているとする。また、ＩＳＰ１３と、ＷＬＡＮ９を介してインターネット１９に接続する契約を締結しているとする。
【００２７】
図３に示すシステムにおいて、ローミングサービスを提供するＳＲＦ３６、ＳＲＦ３７、ＳＲＦ３８およびＳＲＦ３９は、それぞれ、サーバによって実現される。各サーバは、データの送受信を制御する網制御手段２９、加入者の情報を受け付けて記憶する加入者プロファイル記憶手段３０、および接続した端末の利用者が契約者であるか否かを判定する加入者認証処理を行う加入者認証手段３１を備えている。加入者プロファイル記憶手段３０が記憶する加入者に関する情報は、例えば、ＩＳＰの登録ＩＤ、ＳＲＦの登録ＩＤ、パスワードなどの加入者情報、およびアクセス端末の種類およびアクセス手段の種類を特定するための情報であるプロファイル情報である。例えば、ＳＲＦ３７において登録されるプロファイル情報には、アクセス端末の種類およびアクセス手段の種類を特定する情報として、いずれの無線通信事業者によるアクセス手段を用いるのかを示す情報や、いずれの機種であるのかを示す情報などが登録される。
【００２８】
そして、ＳＲＦ３６は、ＩＳＰ１０を介して、利用者１とサービスローミングの契約を締結し、利用者１のアクセス端末に送信するデータを、アクセス端末に応じたプロトコルに変換したり転送レートの制御を行ったりして利用者１のアクセス端末とデータの送受信を行う。ＳＲＦ３７は、ＩＳＰ１１を介して、利用者１とサービスローミングの契約を締結し、利用者１のアクセス端末に送信するデータを、アクセス端末に応じたプロトコルに変換したり転送レートの制御を行ったりして利用者１のアクセス端末とデータの送受信を行う。ＳＲＦ３８は、ＩＳＰ１２を介して、利用者１とサービスローミングの契約を締結し、利用者１のアクセス端末に送信するデータを、アクセス端末に応じたプロトコルに変換したり転送レートの制御を行ったりして利用者１のアクセス端末とデータの送受信を行う。ＳＲＦ３９は、ＩＳＰ１３を介して、利用者１とサービスローミングの契約を締結し、利用者１のアクセス端末に送信するデータを、アクセス端末に応じたプロトコルに変換したり転送レートの制御を行ったりして利用者１のアクセス端末とデータの送受信を行う。
【００２９】
次に、サービスローミング対応システムの動作を図面を参照して説明する。ここで、利用者１が携帯電話機３を用いてインターネット１９に接続する例について説明する。図４は、サービスローミング対応システムの動作を示すシーケンス図である。
【００３０】
利用者１は、無線電話網７を介して携帯電話機３をインターネット１９に接続するサービスの提供を受けることの契約を、ＩＳＰ１１と締結する。また、利用者１は、ＳＲＦ３７と、サービスローミングのサービスの提供の契約を締結する。ＩＳＰ１１は、ＳＲＦ３７の契約に必要な情報の入力を受け付けるＷｅｂページを備えていてもよい。利用者１は、プロファイル情報と、利用者１を特定する情報である加入者情報とを入力する（ステップＳ１０１）。ＩＳＰ１１は入力された情報をＳＲＦ３７に出力する（ステップＳ１０２）。加入者プロファイル記憶手段３０は入力された情報を記憶する。
【００３１】
利用者１が携帯電話機３を用いてＷｅｂページを閲覧する場合には、加入者認証手段３１は、利用者１に、ＳＲＦの登録ＩＤおよびパスワードの入力を要求する。利用者１は、要求された情報の入力を行う（ステップＳ１０３）。加入者認証手段３１は、入力された情報と加入者プロファイル記憶手段３０が記憶している加入者情報とを比較して、利用者１がサービスの提供を受けることができる契約者であるか否か判断する加入者認証処理を行う。
【００３２】
利用者１がサービスの提供を受けることができる契約者であることを確認したら、加入者認証手段３１は、加入者プロファイル記憶手段３０が記憶しているプロファイル情報にもとづいて、利用者１のアクセス端末に応じたプロトコルと転送レートとを特定する。利用者１は、携帯電話機３に、一のＵＲＬへの情報の発信を要求する情報を入力する。携帯電話機３は、入力された一のＵＲＬへの情報発信要求をＳＲＦに送信する。ＳＲＦ３７において、網制御手段２９は、携帯電話機３が送信した一のＵＲＬへの情報発信要求を受信すると（ステップＳ１０４）、一のＵＲＬのＷｅｂサーバへ情報発信要求を送信する（ステップＳ１０５）。
【００３３】
一のＵＲＬのＷｅｂサーバは、携帯電話機３の情報発信要求に応じてデータをＳＲＦ３７に送信する（ステップＳ１０６）。ＳＲＦ３７において、一のＵＲＬのＷｅｂサーバが送信したデータを網制御手段２９が受信すると、網制御手段２９は加入者認証手段３１が特定したプロトコルにデータを変換し、加入者認証手段３１が特定した転送レートでＩＳＰ１１を介して携帯電話機３に出力する（ステップＳ１０７、Ｓ１０８）。具体的には、網制御手段２９は、ＴＣＰやＨＴＭＬのサブセットを、携帯電話機３に適合するに変換する。このとき、携帯電話機３の受信能力に適合させるために、文字コード、画像形式およびＨＴＭＬタグを変換する場合がある。
【００３４】
なお、網制御手段２９は、利用者１が閲覧しようとしているＷｅｂページが、例えばＷＡＰのように携帯電話機３のプロトコルスタックに対応していると判断した場合には、加入者認証手段３１は加入者認証処理を行わずに、携帯電話機３が送信した情報発信要求の一のＵＲＬへの送信と、一のＵＲＬのＷｅｂサーバが送信したデータの携帯電話機３への送信を行ってもよい。
【００３５】
以上に説明したように、第１の実施の形態によれば、携帯電話機３の受信能力に適合していない言語で記述されているＷｅｂページを、携帯電話機３を用いて閲覧することができる。また、携帯電話機３の受信能力に適合していないプロトコル等で配信が行われるＷｅｂページを、携帯電話機３に供給できるようになる。
【００３６】
なお、ここでは、アクセス端末が携帯電話機３であってアクセス手段が無線電話網７である場合について説明したが、他のアクセス端末およびアクセス手段を用いる場合にも、直接的にはサービスを受けられないＳＥのサービスを、ＳＲＦを介することによって、受けられるようになる。
【００３７】
実施の形態２．
次に、第２の実施の形態について説明する。図５は、本発明によるサービスローミング対応システムの第２の実施の形態の構成を模式的に示す模式図である。
この実施の形態では、ＳＲＦ（ＳＲＦサーバ）２８の管理と運営とは、各ＩＳＰとは独立して行われる。また、利用者１は、各アクセス端末に対応するアクセス手段とＩＳＰとを介してサービスを享受する契約をサービス実体提供事業者と締結する。ＳＲＦサーバ２８は、網制御手段２９、加入者プロファイル記憶手段３０および加入者認証手段３１を備えている。
【００３８】
次に、サービスローミング対応システムの動作を図面を参照して説明する。ここで、利用者１が、携帯電話機３を用いてインターネットを介して電子メールアカウント（ＳＥ３３）を利用する場合を例にして説明する。図６は、サービスローミング対応システムの動作を示すシーケンス図である。利用者１は、電子メールアカウントを提供する事業者すなわちメールサーバを有する事業者と、自宅ＰＣ２を用いて、ｘＤＳＬ／ＣＡＴＶ／ＦＴＴＨ６およびＩＳＰ１０を介して接続可能であるとする。以下、電子メールアカウントに関するサービスを提供する事業者が保有するサーバを、電子メールアカウントサーバという。電子メールアカウントサーバは、メールサーバ機能を含む。
【００３９】
利用者１は、自宅ＰＣ２およびｘＤＳＬ／ＣＡＴＶ／ＦＴＴＨ６を用いて、電子メールアカウントサーバに、電子メールアカウントの発行を依頼する（ステップＳ２０１）。このとき、利用者１は、加入者情報と、電子メールアカウントを利用する可能性のあるアクセス端末およびアクセス手段を特定するための情報であるプロファイル情報とを、電子メールアカウントサーバに送信する。例えば、利用者１が、加入者情報とともに、携帯電話機３の種類および無線電話網の種類（通信事業者）を示すプロファイル情報と、自宅ＰＣ２およびｘＤＳＬ／ＣＡＴＶ／ＦＴＴＨ６を示すプロファイル情報とを電子メールアカウントサーバに送信する。すると、電子メールアカウントサーバは、受信したプロファイル情報を記憶する。このとき、プロファイル情報は、セキュリティ保持の方法（例えば、ＩＰｓｅｃや、ＳＯＣＫＳ等）や、受信可能な文字数等の情報を含んでもよい。
【００４０】
電子メールアカウントサーバは、ＳＲＦサーバ２８に、電子メールアカウントとともに、加入者情報とプロファイル情報とを送信する（ステップＳ２０２）。
もちろん、電子メールアカウントは、利用者にも通知される。また、加入者情報は、利用者の電子メールに関するＩＤおよびパスワードを含む。ＳＲＦサーバ２８において、網制御手段２９が加入者情報とプロファイル情報とを受信すると、加入者プロファイル記憶手段３０が、受信した情報を記憶する。また、電子メールアカウントサーバとＳＲＦサーバ２８との間をＶＰＮ（Ｖｉｒｔｕａｌ  Ｐｒｉｖａｔｅ  Ｎｅｔｗｏｒｋ）で接続し、電子メールアカウントサーバが、ＳＲＦサーバ２８を含むイントラネット内の加入者プロファイル記憶手段３０にアクセスして、加入者情報とプロファイル情報とを加入者プロファイル記憶手段３０に記憶させてもよい。
【００４１】
利用者１が、携帯電話機３で電子メールを使用する場合には、利用者１は、携帯電話機３を用いてＩＳＰ１１に電子メールアカウント、ＩＤおよびパスワードを送信する（ステップＳ２０３）。すると、ＩＳＰ１１は、それらの情報をＳＲＦサーバ２８に転送する。すると、ＳＲＦサーバ２８における加入者認証手段３１は、利用者からの情報と加入者プロファイル記憶手段３０が記憶している加入者情報とを比較して、サービスの提供を行うか否かを決定する加入者認証処理を行う。
【００４２】
サービスの提供を行うと決定した場合、加入者認証手段３１は、加入者プロファイル記憶手段３０が記憶しているプロファイル情報にもとづいて、利用者１のアクセス端末に応じたプロトコル、転送レート、およびセキュリティ保持の方法を特定する。そして、網制御手段２９は、携帯電話機３が送信した情報発信要求（電子メール受信要求）を受け付け、電子メールアカウントサーバに送信する（ステップＳＳ２０４，２０５）。
【００４３】
ＳＲＦサーバ２８が電子メールアカウントサーバからデータ（利用者宛の電子メール）を受信すると、網制御手段２９が、加入者認証手段３１が特定したプロトコルにデータを変換し、特定されたセキュリティ保持の方法を用いて、特定した転送レートでＩＳＰ１１を介して携帯電話機３に送信する（ステップＳＳ２０，Ｓ２０７）。プロトコルの変換は、例えばＰＯＰ３やＩＭＡＰから、携帯電話機３が受信可能なプロトコルへの変換である。また、携帯電話機３が受信可能な文字数に限定して携帯電話機３に送信したり、添付ファイルがある場合には携帯電話機３が受信可能な形式の添付ファイルのみを携帯電話機３に送信したりしてもよい。
【００４４】
ここでは、利用者１が、携帯電話機３で電子メールを受信する場合を例にしたが利用者１は、、車載ＩＴＳ端末４およびモバイルＰＣ５で電子メールを受信する場合も、ＳＲＦサーバ２８を介することによって、単一の電子メールアカウントを使用することができる。また、電子メールの受信に限らず、電子メールを送信するときにも、ＳＲＦサーバ２８を介することによって、単一の電子メールアカウントを使用することができる。
【００４５】
以上のように、第２の実施の形態によれば、利用者１は、いずれのアクセス端末を用いる場合にも、同一の電子メールアカウントを利用することができる。従って、利用者が管理する電子メールのアカウントの数を削減できる。すなわち、利用者は複数の電子メールアカウントを個々のアクセス端末毎に取得するという必要はなく、サービスの冗長性を排除できる。また、上述したＳＲＦサーバ２８の網制御によって、電子メールに対するセキュリティが確保されている。
【００４６】
実施の形態３．
次に、第３の実施の形態について説明する。図７は、本発明によるサービスローミング対応システムの第３の実施の形態の構成を模式的に示す模式図である。
【００４７】
この実施の形態では、利用者１は、自宅ＰＣ２とｘＤＳＬ／ＣＡＴＶ／ＦＴＴＨ６とＩＳＰ１０とを介するサービスの提供の契約を動画コンテンツ（ＳＥ３４）の提供事業者（ＣＳＰ）と締結する。以下、コンテンツの提供事業者が有するサーバ（コンテンツ配信サーバ）を、ＣＳＰサーバという。
【００４８】
利用者１が、自宅ＰＣ２とｘＤＳＬ／ＣＡＴＶ／ＦＴＴＨ６とＩＳＰ１０とを介するサービスの提供の契約をコンテンツの提供事業者と締結する際に、加入者情報とプロファイル情報とをＣＳＰサーバに送信する。ＣＳＰサーバは、加入者情報とプロファイル情報とをＳＲＦサーバ２８に送信する。すると、ＳＲＦサーバ２８において、加入者プロファイル記憶手段３０は、加入者情報とプロファイル情報とを記憶する。
【００４９】
また、ＣＳＰサーバとＳＲＦサーバ２８との間をＶＰＮで接続し、ＣＳＰサーバが、ＳＲＦサーバ２８を含むイントラネット内の加入者プロファイル記憶手段３０にアクセスして、加入者情報とプロファイル情報とを加入者プロファイル記憶手段３０に記憶させてもよい。
【００５０】
網制御手段２９は、加入者プロファイル記憶手段３０が記憶しているプロファイル情報にもとづいて、帯域制御、優先制御および転送レート制御（例えば、圧縮プロファイルの変換）を行う。
【００５１】
網制御手段２９は、例えば、利用者１にＣＳＰサーバから受信したデータを送信する際に、利用者１以外の利用者に送信するデータの量を制限する帯域制御を行う。また、網制御手段３４は、ＣＳＰサーバから受信したデータのパケットを、他の利用者に送信するデータのパケットよりも優先して利用者１に送信する優先制御を行う。そして、網制御手段２９は、加入者プロファイル記憶手段３０が記憶しているプロファイル情報にもとづいて、利用者１のアクセス端末が受信することができる転送レートと圧縮プロファイルとを特定し、ＣＳＰサーバから受信したデータを、利用者１のアクセス端末が受信することができる転送レートと圧縮プロファイルとに変換する。例えば、利用者１のアクセス端末が伝送速度３８４ｋｂｐｓ以下のＭＰＥＧ４に対応している場合であって、ＣＳＰサーバから受信したデータ形式がＭＰＥＧ２で伝送速度が２Ｍｂｐｓであった場合、圧縮プロファイルを利用者１のアクセス端末が受信できる形式に変換する。
【００５２】
利用者１は、コンテンツの提供事業者とサービスの提供の契約を締結する際に、配信されるコンテンツの種類を限定する契約を締結してもよい。その場合には、ＣＳＰサーバは、配信されるコンテンツの種類を限定する情報もＳＲＦサーバ２８に送信する。加入者プロファイル記憶手段３０は、配信されるコンテンツの種類を限定する情報を記憶する。加入者認証手段３１は、加入者プロファイル記憶手段３０が記憶している情報にもとづいて、ＣＳＰサーバから受信したコンテンツを利用者１のアクセス端末に送信するか否かを決定する。
【００５３】
この実施の形態のサービスローミング対応システムの動作は、加入者プロファイル記憶手段３０が記憶しているプロファイル情報にもとづいて網制御手段２９が帯域制御と優先制御と転送レート制御とを行って、携帯電話機３にコンテンツを出力する点が第２の実施の形態とは異なるが、その他の動作は第２の実施の形態の場合と同様なため、説明を省略する。
【００５４】
第３の実施の形態によれば、利用者１は、いずれのアクセス端末を用いても、動画配信サービスの提供を受けることができる。従って、例えば、携帯電話機３に直接的にダウンロードできないようなコンテンツでも、ＳＲＦサーバ２８を介することによって、ダウンロードできるようになる。
【００５５】
なお、この実施の形態では、携帯電話機３にコンテンツをダウンロードする場合を例にしたが、他のアクセス端末にコンテンツをダウンロードする場合にも、上述した処理によって、コンテンツがダウンロードされる。また、ここでは、コンテンツとして動画を例にしたが、ＣＳＰが提供するコンテンツは動画に限られない。
【００５６】
実施の形態４．
次に、第４の実施の形態について説明する。図８は、本発明によるサービスローミング対応システムの第４の実施の形態の構成を模式的に示す模式図である。
【００５７】
この実施の形態は、利用者１は、自宅ＰＣ２を用いて、ｘＤＳＬ／ＣＡＴＶ／ＦＴＴＨ６およびＩＳＰ１０を介するサービスの提供の契約をＩＰ電話中継網サービスの提供事業者と締結する。以下、ＩＰ電話中継網サービスの提供事業者が有するサーバを、ＩＰ電話中継網サーバという。また、この実施の形態で用いられる携帯電話機３は、利用者１が所定の操作を行うと、Ｗｅｂブラウザ機能の動作中にマイクロフォンに入力された音声をＩＰパケットに変換して送信する機能と、受信したＩＰパケットを音声信号に変換してスピーカから音声を出力する機能とを有する。
【００５８】
この実施の形態において、ＳＲＦサーバ２８における網制御手段２９は、加入者プロファイル記憶手段３０が記憶しているプロファイル情報にもとづいて、帯域制御、優先制御および転送レート制御（例えば、圧縮プロファイルの変換）を実行する。すなわち、網制御手段２９は、例えば、利用者１にＩＰ電話中継網サーバから受信したデータを送信する際に、利用者１以外の利用者に送信するデータの量を制限する帯域制御を行う。また、網制御手段３４は、ＩＰ電話中継網サーバから受信したデータのパケットを、他の利用者に送信するデータのパケットよりも優先して利用者１に送信する優先制御を行う。そして、網制御手段２９は、加入者プロファイル記憶手段３０が記憶しているプロファイル情報にもとづいて、利用者１のアクセス端末が受信することができる転送レートと圧縮プロファイルとを特定し、ＩＰ電話中継網サーバから受信したデータを、利用者１のアクセス端末が受信することができる転送レートと圧縮プロファイルとに変換する。
また、ＳＲＦ２８は、ＩＰ電話中継網サービスを利用するための登録ＩＤ、パスワードおよび発信電話番号の入力を受け付けるＷｅｂページを有する。
【００５９】
次に、サービスローミング対応システムの動作を説明する。利用者１は、例えば、自宅ＰＣ２を用いて、ｘＤＳＬ／ＣＡＴＶ／ＦＴＴＨ６およびＩＳＰ１０を介して、ＩＰ電話中継網サービスを利用するための契約を、ＩＰ電話中継網サービスの提供事業者と締結する。その際に、加入者情報とプロファイル情報とをＩＰ電話中継網サーバに送信する。ＩＰ電話中継網サーバは、加入者情報とプロファイル情報とをＳＲＦサーバ２８に送信する。ＳＲＦサーバ２８ににおいて、加入者プロファイル記憶手段３０は、加入者情報とプロファイル情報とを記憶する。利用者１は、携帯電話機３を用いてＩＰ電話中継網サービスを利用する可能性がある場合には、自宅ＰＣ２から、携帯電話機３の種類および無線電話網の種類（通信事業者）を示すプロファイル情報ＩＰ電話中継網サーバに送信する。
【００６０】
なお、ＩＰ電話中継網サーバとＳＲＦサーバ２８との間をＶＰＮで接続し、ＩＰ電話中継網サーバが、ＳＲＦ２８を含むイントラネット内の加入者プロファイル記憶手段３０にアクセスして、加入者情報とプロファイル情報とを加入者プロファイル記憶手段３０に記憶させてもよい。
【００６１】
利用者１が携帯電話機３を用いてＩＰ電話中継網サービスを利用する場合、利用者１は、例えば、携帯電話機３のＷｅｂブラウザ機能を用いてＳＲＦサーバ２８が有するＩＰ電話中継網サービスを利用するための登録ＩＤ、パスワード、ＩＰ電話中継網サービスの提供事業者を特定する番号、および発信先電話番号の入力を受け付けるＷｅｂページにアクセスする。なお、このＷｅｂページは、ＳＲＦサーバ２８によって提供される。携帯電話機３から、それらの情報が入力されると、ＳＲＦサーバ２８における加入者認証手段３１が加入者認証処理を行う。
加入者認証手段３１が、利用者１がＩＰ電話中継網サービスの契約者であると判定すると、網制御手段２９は、入力された発信先電話番号をＩＰ電話中継網サーバに送信する。
【００６２】
そして、利用者１が所定の操作を行い、携帯電話機３のマイクロフォンに音声を入力すると、携帯電話機３は入力された音声をＩＰパケットに変換してＳＲＦ２８に送信する。ＳＲＦ２８において、網制御手段２９がＩＰパケットを受信してＩＰ電話中継網サーバに送信する。ＩＰ電話中継網サーバは、受信したＩＰパケットを発信先電話番号へＩＰ電話中継網を介して送信する。
【００６３】
ＩＰ電話中継網サーバが携帯電話機３を送信先とするＩＰパケットを受信すると、ＳＲＦ２８を介して携帯電話機３にＩＰパケットを送信する。その際に、上述したようなプロファイル情報にもとづく帯域制御、優先制御および転送レート制御等を実行する。携帯電話機３は、受信したＩＰパケットを音声信号に変換してスピーカから音声を出力する。
【００６４】
ＳＲＦ２８は、ＩＰ電話中継網サービスの利用を受け付けるあらかじめ決められた電話番号であるアクセスポイントを設定してもよい。その場合、利用者１は、携帯電話機３を用いてアクセスポイントに通話発信を行い、プッシュボタンを操作して登録ＩＤとパスワードとＩＰ電話中継網サービスを特定する番号と発信先電話番号とを入力する。すると、加入者認証手段３１が加入者認証処理を行う。加入者認証手段３１が、利用者１がＩＰ電話中継網サービスの契約者であると判定すると、網制御手段２９は、入力された発信先電話番号をＩＰ電話中継網サーバに送信する。
【００６５】
そして、携帯電話機３は、マイクロフォンに入力された音声を音声信号に変換してＳＲＦ２８に送信すると、ＳＲＦ２８において網制御手段２９が音声信号をＩＰパケットに変換してＩＰ電話中継網サーバに送信する。ＩＰ電話中継網サーバは、受信したＩＰパケットを発信先電話番号へＩＰ電話中継網を介して送信する。また、ＳＲＦサーバ２８において、網制御手段２９がＩＰ電話中継網サーバからＩＰパケットを受信すると、ＩＰパケットを音声信号に変換して携帯電話機３に送信する。携帯電話機３は音声信号を受信するとスピーカを介して音声を出力する。
【００６６】
ここでは、利用者１が、携帯電話機３を用いてＩＰ電話中継網サービスの提供を受ける場合を例にしたが、他のアクセス端末を用いる場合にも、上述した処理と同様の処理によって、ＩＰ電話中継網サービスの提供を受けることができる。
【００６７】
従って、第４の実施の形態によれば、利用者１は、いずれのアクセス端末を用いても、ＩＰ電話サービスの提供を受けることができる。
【００６８】
【発明の効果】
以上のように、本発明によれば、異なる複数のアクセス端末のそれぞれを用いて、インターネットを介した同一のサービスの提供を受けることができる。従って、サービスの提供を受ける場合に、サービスの種類に応じてアクセス端末を使い分ける必要はないので、サービスの可用性を向上でき、また、サービスの冗長性を排除できる。
【図面の簡単な説明】
【図１】本発明の概念を説明するための概念図である。
【図２】本発明によるサービスローミング対応システムの構成例を模式的に示す模式図である。
【図３】本発明の第１の実施の形態の一構成例を示すブロック図である。
【図４】本発明の第１の実施の形態のサービスローミング対応システムの動作を示すシーケンス図である。
【図５】本発明の第２の実施の形態の一構成例を示すブロック図である。
【図６】本発明の第２の実施の形態のサービスローミング対応システムの動作を示すシーケンス図である。
【図７】本発明の第３の実施の形態の一構成例を示すブロック図である。
【図８】本発明の第４の実施の形態の一構成例を示すブロック図である。
【図９】一般的な利用者向けのサービス接続形態を示す模式図である。
【図１０】インターネット接続サービスを提供する場合の一般的な接続形態を示す模式図である。
【図１１】電子メールアカウントを提供する場合の一般的な接続形態を示す模式図である。
【図１２】ＣＳＰがコンテンツを提供する場合の一般的な接続形態を示す模式図である。
【符号の説明】
１  利用者
２  自宅ＰＣ
３  携帯電話機
４  車載ＩＴＳ端末
５  モバイルＰＣ
６  ｘＤＳＬ／ＣＡＴＶ／ＦＴＴＨ
７  無線電話網
８  ＩＴＳ
９  ＷＬＡＮ
１０，１１，１２，１３  ＩＳＰ
１４，１５，１６，１７  ＳＥ
１９  インターネット
２８  ＳＲＦ
２９  網制御手段
３０  加入者プロファイル記憶手段
３１  加入者認証手段
３２  ＩＳＰ
４０  サービス実体提供事業者
【図１】
2004357116.tif 000003
【図２】
2004357116.tif 000004
【図３】
2004357116.tif 000005
【図４】
2004357116.tif 000006
【図５】
2004357116.tif 000007
【図６】
2004357116.tif 000008
【図７】
2004357116.tif 000009
【図８】
2004357116.tif 000010
【図９】
2004357116.tif 000011
【図１０】
2004357116.tif 000012
【図１１】
2004357116.tif 000013
【図１２】
2004357116.tif 000014